(57)【要約】【課題】流動性髭剃り補助剤材料を供給するための機構を有する髭剃り器を提供する。【解決手段】剃刀カートリッジ（１２）と、髭剃り補助剤ディスペンサ（１４）と、非固体髭剃り補助剤材料を入れるように作動可能なリザーバ（１６）とを含む髭剃り器（１０）。髭剃り補助剤ディスペンサは、接触パネル（２６）内に配置された１つ又はそれよりも多くのバルブ（２４）を含む。接触パネルは、１つ又はそれよりも多くの剃刀刃の刃先に隣接して配置される。バルブの各々は、開放位置と閉鎖位置の間で選択的に作動可能である。バルブは、髭を剃られる表面に当てられる接触面の垂直力によって作動される。リザーバは、選択的に作動可能なバルブと流体連通している。【選択図】図１
2008529655.tif 000002
【特許請求の範囲】
【請求項１】
各々が刃先（２２）を有する１つ又はそれよりも多くの刃（２０）を備えた剃刀カートリッジ（１２）と、
前記１つ又はそれよりも多くの剃刀刃（２０）の前記刃先（２２）に隣接して配置された接触パネル（２６）内に配置されて各々が開放位置と閉鎖位置の間で選択的に作動可能な１つ又はそれよりも多くのバルブ（２４）によって特徴付けられた髭剃り補助剤ディスペンサ（１４）と、
前記１つ又はそれよりも多くのバルブ（２４）と流体連通した、非固体髭剃り補助剤材料を入れるためのリザーバ（１６）と、
を含むことを特徴とする髭剃り器（１０）。
【請求項２】
前記１つ又はそれよりも多くのバルブ（２４）の各々は、互いに嵌合する雄部分（３２）及び雌部分（３４）を含むことを特徴とする請求項１に記載の髭剃り器（１０）。
【請求項３】
前記雄部分（３２）及び雌部分（３４）は、互いに嵌合する形状の実質的に円錐形の密封面を含むことを特徴とする請求項２に記載の髭剃り器（１０）。
【請求項４】
前記雄部分（３２）及び雌部分（３４）は、互いに嵌合する形状の実質的に球形の密封面を含むことを特徴とする請求項２に記載の髭剃り器（１０）。
【請求項５】
前記１つ又はそれよりも多くのバルブ（２４）の前記雄部分（３２）は、互いに独立していることを特徴とする請求項２に記載の髭剃り器（１０）。
【請求項６】
各バルブ（２４）の前記雄部分（３２）は、そのバルブ（２４）の前記雌部分（３４）と接触するように付勢されることを特徴とする請求項５に記載の髭剃り器（１０）。
【請求項７】
支持部材（３６）を更に含み、
前記１つ又はそれよりも多くのバルブ（２４）の前記雄部分（３２）は、前記支持部材（３６）に取り付けられる、
ことを特徴とする請求項２に記載の髭剃り器（１０）。
【請求項８】
前記支持部材（３６）は、エラストマー材料を含むことを特徴とする請求項７に記載の髭剃り器（１０）。
【請求項９】
前記１つ又はそれよりも多くのバルブ（２４）の１つよりも多くは、前記開放位置と前記閉鎖位置の間で一斉に作動することを特徴とする請求項２に記載の髭剃り器（１０）。
【請求項１０】
前記１つ又はそれよりも多くのバルブ（２４）は、前記閉鎖位置に付勢されることを特徴とする請求項２に記載の髭剃り器（１０）。
【請求項１１】
前記１つ又はそれよりも多くのバルブ（２４）の前記雌部分（３４）は、前記接触パネル（２６）内に配置され、前記閉鎖位置においては、前記雄部分（３２）は、該雌部分（３４）内に受け取られ、該雄部分（３２）は、部分的に前記接触面（２８）の上方に延びることを特徴とする請求項１０に記載の髭剃り器（１０）。
【請求項１２】
前記雄部分（３２）は、前記接触パネル（２６）内に形成されていることを特徴とする請求項２に記載の髭剃り器（１０）。
【請求項１３】
前記１つ又はそれよりも多くのバルブ（２４）は、前記閉鎖位置に付勢されることを特徴とする請求項１に記載の髭剃り器（１０）。
【請求項１４】
各々が刃先（２２）を有する１つ又はそれよりも多くの刃（２０）を備えた剃刀カートリッジ（１２）と、
前記１つ又はそれよりも多くの剃刀刃の前記刃先（２２）に隣接して配置された接触パネル（２６）を有する髭剃り補助剤ディスペンサ（１４）であって、
前記剃刀カートリッジ（１２）を作動するのに十分な垂直力を前記接触パネル（２６）に加えることによって各々が閉鎖位置から開放位置に選択的に作動可能である、該接触パネル（２６）内に配置された１つ又はそれよりも多くのバルブ（２４）、
によって特徴付けられる髭剃り補助剤ディスペンサと、
前記１つ又はそれよりも多くのバルブ（２４）と流体連通した、非固体髭剃り補助剤材料を入れるためのリザーバ（１６）と、
を含むことを特徴とする髭剃り器（１０）。
【請求項１５】
前記１つ又はそれよりも多くのバルブ（２４）の各々は、互いに嵌合する雄部分（３２）及び雌部分（３４）を含むことを特徴とする請求項１４に記載の髭剃り器（１０）。
【請求項１６】
各バルブ（２４）の前記雄部分（３２）は、そのバルブ（２４）の前記雌部分（３４）と接触するように付勢されることを特徴とする請求項１５に記載の髭剃り器（１０）。
【請求項１７】
支持部材（３６）を更に含み、
前記１つ又はそれよりも多くのバルブ（２４）の前記雄部分（３２）は、前記支持部材（３６）に取り付けられる、
ことを特徴とする請求項１６に記載の髭剃り器（１０）。
【請求項１８】
前記支持部材（３６）は、エラストマー材料を含むことを特徴とする請求項１７に記載の髭剃り器（１０）。
【請求項１９】
前記１つ又はそれよりも多くのバルブ（２４）の１つよりも多くは、前記開放位置と前記閉鎖位置の間で一斉に作動することを特徴とする請求項１４に記載の髭剃り器（１０）。
【請求項２０】
前記１つ又はそれよりも多くのバルブ（２４）は、前記閉鎖位置に付勢されることを特徴とする請求項１４に記載の髭剃り器（１０）。
【発明の詳細な説明】
【技術分野】
【０００１】
本発明は、一般的に髭剃り器に関し、具体的には、流動性髭剃り補助剤材料を供給するための機構を有する髭剃り器に関する。
【背景技術】
【０００２】
剃刀アセンブリと髭剃り補助剤材料を分配するための機構を組み合わせる多くの試みが為されてきた。通常、髭剃り器は、髭剃り補助剤材料を入れるリザーバ、及びリザーバを放出点に接続する１つ又はそれよりも多くの通路を含むことになる。髭剃り補助剤材料は、放出点でユーザによって取り出される。髭剃り補助剤材料は、典型的に加圧ガスにより、又はリザーバの容積を低減する機械的装置によってリザーバから強制的に出される。
【０００３】
場合によっては、バルブ機構が、髭剃り器内のリザーバに隣接して配置され、剃刀アセンブリが使用中でない時にリザーバからの髭剃り補助剤材料の放出を防ぐ。商業的に成功するために、髭剃り器のバルブ機構は、操作が容易でなければならない。それはまた、低価格で容易に製造されるべきである。それはまた、様々な異なる髭剃り補助剤材料との使用に適応可能でなければならない。
【発明の開示】
【０００４】
本発明により、剃刀カートリッジと、髭剃り補助剤ディスペンサと、非固体髭剃り補助剤材料を入れるように作動可能なリザーバとを含む髭剃り器が提供される。剃刀カートリッジは、１つ又はそれよりも多くの剃刀刃を含み、各々の刃が刃先を有する。髭剃り補助剤ディスペンサは、接触パネル内に配置された１つ又はそれよりも多くのバルブを含む。接触パネルは、１つ又はそれよりも多くの剃刀刃の刃先に隣接して配置される。バルブの各々は、開放位置と閉鎖位置の間で選択的に作動可能である。バルブは、髭を剃られる表面に当てられる接触面の垂直力によって作動される。リザーバは、選択的に作動可能なバルブと流体連通している。
本発明の態様により、髭剃り補助剤材料ディスペンサが提供される。髭剃り補助剤ディスペンサは、接触パネル内に配置された１つ又はそれよりも多くのバルブとリザーバとを含む。バルブの各々は、開放位置と閉鎖位置の間で選択的に作動可能である。バルブは、髭を剃られる表面に当てられる接触面の垂直力によって作動される。リザーバは、選択的に作動可能なバルブと流体連通している。
【０００５】
本発明の利点は、髭剃り処理中に自動的に作動する髭剃り補助剤材料ディスペンサが提供されることである。１つ又はそれよりも多くのバルブは、髭を剃られる表面にユーザが髭剃り器を当てると、閉鎖位置から開放位置へ作動する。従って、髭剃り処理中のみ、髭剃り補助剤材料は出て、従って付加される。接触パネルが表面との接触から移動した状態で、バルブは閉鎖し、それによって髭剃り補助剤材料の流れは停止する。
本発明の別の利点は、髭剃り補助剤材料の流れを選択的に制御することに加えて、１つ又はそれよりも多くのバルブが、同じく髭剃り補助剤材料の流れを計量して分配することである。
本発明の上記及び他の目的、特徴、及び利点は、本発明の詳細説明に照らして明らかになるであろう。
【発明を実施するための最良の形態】
【０００６】
次に図１から図９を参照すると、髭剃り器１０は、剃刀カートリッジ１２、髭剃り補助剤ディスペンサ１４、リザーバ１６（図３参照）、及びハンドル１８を含む。
剃刀カートリッジ１２は、フレームに取り付けた１つ又はそれよりも多くの剃刀刃２０を含む。各剃刀刃は、刃先２２を有する。剃刀カートリッジ１２は、ハンドル１８に固定的又はピボット式に取り付けることができる。様々な異なる剃刀カートリッジを本髭剃り器１０に使用することができ、使い捨てが想定されているものを含む。本髭剃り器は、従って、いかなる特定の型の剃刀カートリッジ１２にも限定されない。
【０００７】
髭剃り補助剤ディスペンサ１４は、１つ又はそれよりも多くの選択的に作動可能なバルブ２４を含む。バルブ２４は、剃刀カートリッジ１２に隣接して配置された接触パネル２６内に配置することができ、又は接触パネルを部分的又は完全に形成することができる。接触面２８を含む接触パネル２６は、剃刀カートリッジ１２の周囲で連続的とすることができる。接触面２８は、平面とすることができ、又は突出部２９を含むことができる。一部の実施形態では、接触パネル２６は、例えば、剃刀カートリッジ１２の前方に配置された図１及び図２に示す接触パネル２６のような剃刀カートリッジ１２に隣接して配置された１つ又はそれよりも多くの区域とすることができる。接触パネル２６の他の実施形態は、剃刀カートリッジ１２の後方か、又は剃刀カートリッジ１２の片側又は両側か、又はこれらのいくつかの組合せで配置することができる。
【０００８】
図４から図９を参照すると、バルブ２４の各々は、開放位置と閉鎖位置の間で選択的に作動可能である。開放位置において（例えば、図７参照）、通常の状態で髭剃り補助剤材料がバルブ２４を通って流れるように通路３０が生成される。閉鎖位置において（例えば、図５及び図６参照）、通路３０はなくなり、その結果、通常の状態で大量の髭剃り補助剤材料がバルブ２４を通って流れることはない。好ましい実施形態では、バルブ２４の各々は、バルブ２４が閉鎖位置にある時に密封を形成するように互いに嵌合する雄部分３２及び雌部分３４を含む。図４から図８に示す実施形態では、各バルブ２４の雌部分３４は、接触パネル２６内に配置される。図９に示す実施形態では、各バルブ２４の雄部分３２は、接触パネル２６内に形成され、接触パネル２６の下に配置される部材３５が、以下で説明するように雌部分３４を形成する。図５及び図７に示す実施形態では、雌雄部分３２、３４は、雄部分３２が雌部分３４内に挿入され、これに接触する時に密封する噛合い円錐区域を有する。図６及び図８に示す実施形態では、バルブ２４の噛合い雌雄部分３２、３４は、少なくとも部分的に球形である。様々な噛合い形状を密封面のために用いることができる。雄又は雌部分３２、３４の少なくとも一方は、髭を剃られる表面に接触するように位置決めされる。
【０００９】
バルブ２４は、互いに独立して作動することができ、又は例えば１つのバルブ２４の作動が１つ又はそれよりも多くの他のバルブ２４を少なくとも部分的に作動させるような方法で一斉に作動することができる。図５から図７に示す実施形態では、各雄部分３２は、支持部材３６に取り付けられる。比較的堅い支持部材３６に取り付けた雄部分３２を押すことは、１つ又はそれよりも多くの隣接する雄部分３２の少なくとも部分的な押圧を引き起こし、それによって隣接するバルブ２４を開放する。代替的に、比較的柔軟な支持部材３６に取り付けた雄部分３２を押すことは、隣接する雄部分３２の少なくとも部分的な押圧を引き起こさず、隣接するバルブ２４は閉鎖したままである。図８に示す実施形態は、独立バイアス要素３８を有する独立バルブ２４を使用する実施形態を示している。図４から図８に示す実施形態では、各雄部分３２は、雌部分３４を通って上に延び、バルブ２４を形成する。図９及び図９Ａに示す実施形態では、雄部分３２は、接触パネル２６に取り付けられ、雌部分３４は、接触パネル２６に接触して配置された部材３５が開放（図９Ａに示す開放位置）を形成するように偏向された時に形成される。本発明は、上述の例示的実施形態に限定されない。
【００１０】
１つ又はそれよりも多くのバルブ２４は、好ましくは閉鎖位置に付勢される。エラストマー材料を含む支持部材３６（例えば、図５から図７に示すような）は、そのバルブ２４の一部分を閉鎖位置に付勢するための手段の例である。支持部材３６の弾性は、雄部分３２の露出部分に対して加えられる望ましい量の力が、弾性支持部材３６の付勢力に打ち勝つようなものであり、それによってバルブ２４が閉鎖位置から開放位置に作動することができる。上述のエラストマー性実施形態以外の付勢手段、例えば独立バイアス要素３８を代わりに用いることができる。更に別の例として、図９に示す接触パネル２６の下に配置される部材３５は、エラストマー性とすることができる。
【００１１】
１つ又はそれよりも多くのバルブ２４は、好ましくは、望ましい分布の髭剃り補助剤材料をもたらすように選択されたパターンに位置決めされる。図２に示す実施形態では、例えば、バルブ２４は、剃刀カートリッジ１２の前方に配置された接触パネル２６に均一に配置される。バルブ２４からの髭剃り補助剤材料の流量及び分布は、パターン内にあるバルブ２４の数及び個々のバルブ２４を通る流量を調整することによって当面の付加に適するように調整することができる。個々のバルブ２４を通る流量は、髭剃り補助剤材料の物理的特性（例えば、粘性のような）を所定の組の付加パラメータ（例えば、温度、表面湿度のような）に適合させるように選択的に選ばれる。噛合い雌雄部分３２、３４を含むこれらのバルブ２４の実施形態では、様々な異なる流量プロフィールは、噛合い部分３２、３４の形態を選択的に適合させることによって生成することができる。例えば、円錐型噛合い表面３２、３４は、噛合い部分が互いに分離するとバルブ２４を通る流量の線形増加をもたらすことができる。他の噛合い表面の形態は、噛合い部分が互いに分離すると、バルブ２４を通る流量の段階的又は指数関数的増加をもたらすことができる。本発明のバルブ２４は、従って、いかなる特定の噛合い形態構成にも限定されない。
【００１２】
非固体髭剃り補助剤材料を入れるためのリザーバ１６は、選択的に作動可能なバルブ２４と流体連通している。リザーバ１６とバルブ２４の間の流体連通により、リザーバ１６内の非固体髭剃り補助剤材料は、リザーバ１６からバルブに通ることができる。リザーバ１６は、いかなる特定の構成にも限定されない。一部の実施形態では、リザーバ１６は、ハンドル１８から分離することを意図していない。これらの実施形態では、リザーバ１６は、詰め替え可能にすることができる。他の実施形態では、リザーバ１６は、ハンドル１８とは無関係な交換式品目か、又は交換式ハンドル１８の一部として使い捨てとすることができる。
【００１３】
図１から図３に示す実施形態では、髭剃り器１０は、更に、リザーバ１６と１つ又はそれよりも多くのバルブ２４との間に配置された流量バルブ４０を含む。流量バルブ４０は、オン及びオフの２位置バルブであり、これは、リザーバ１６と１つ又はそれよりも多くのバルブ２４との間の流量を妨げるように作動可能である。
本発明の作動において、髭剃り器１０は、リザーバ１６内に加圧下で配置された多量の髭剃り補助剤材料を含む。バルブ２４を通って材料を強制的に出すのに必要な圧力を生成するために、様々な異なる機構を用いることができ、本発明は、いかなる特定の機構にも限定されない。ユーザは、髭を剃る表面４２（図７参照）に髭剃り器１０を通常量の垂直力で当て、表面４２にわたって髭剃り器１０をなでる。髭剃り器１０が、通常作動中に髭を剃られる表面４２に当てられると、接触パネル２６の少なくとも一部及びバルブ２４の少なくとも１つは、表面４２に接触して配置される。バルブ２４が表面４２に接触して配置されると、接触パネル２６及びバルブ２４に加えられる垂直力は、バルブ２４を閉鎖位置から開放位置に変化させ、すなわち、噛合い雌雄部分３２、３４の少なくとも一方が他方に対して相対的に移動し、バルブを通る通路３０を生成する。図９に示す実施形態では、接触パネル２６及び雄部分３２に加えられる垂直力は、１つ又はそれよりも多くの雄部分３２に部材３５を接触パネル２６から離れるように移動させ、それによってその間に通路３０を生成する。開放位置において、リザーバ１６からの加圧髭剃り補助剤材料は、バルブ通路３０を通って流れ、髭を剃られる表面に当てられる。垂直力が除去された状態で、バルブ２４は閉鎖位置に戻り（すなわち、通路３０が閉鎖され）、これを通る髭剃り補助剤材料の流れは停止される。
【００１４】
本発明の髭剃り補助剤ディスペンサ１４は、ハンドル１８を有する髭剃り器１０内の要素として上述した。本発明の態様により、髭剃り補助剤ディスペンサ１４は、髭剃り器に選択的に着脱することができる交換式カートリッジの一部である。使用可能な髭剃り補助剤材料全てがカートリッジから引き出されると、空のカートリッジは、髭剃り器１０から除去され、新たな又は補充されたカートリッジに交換することができる。
【００１５】
本発明をその詳細な実施形態に関して示して説明したが、本発明の範囲から逸脱することなく様々な変更を行うことができ、均等物でその要素を置き換えることができることを当業者は理解するであろう。例えば、上述の本発明の実施形態は、１つ又はそれよりも多くのバルブ２４を含み、各々は、バルブを開放するように雌部分３４に対して移動する雄部分３２を有する。代替的な実施形態では、雌部分が、バルブを開放するように雄部分３２に対して移動することができると考えられる。
【図面の簡単な説明】
【００１６】
【図１】本発明の髭剃り器の実施形態の概略等角投影図である。
【図２】図１に示す実施形態の拡大図である。
【図３】髭剃り器の概略部分断面図である。
【図４】本発明の髭剃り補助剤ディスペンサの一部分の概略図である。
【図５】バルブ実施形態を示す本発明の髭剃り補助剤ディスペンサの一部分の概略断面図である。
【図６】別のバルブ実施形態を示す本発明の髭剃り補助剤ディスペンサの一部分の概略断面図である。
【図７】バルブ実施形態が髭を剃られる表面に当てられ、バルブが開放位置にある図５の髭剃り補助剤ディスペンサを示す図である。
【図８】バルブ実施形態を示す本発明の髭剃り補助剤ディスペンサの一部分の概略断面図である。
【図９】バルブ実施形態を示す本発明の髭剃り補助剤ディスペンサの一部分の概略断面図である。
【図９Ａ】開放位置にある図９に示すバルブ実施形態を示す本発明の髭剃りディスペンサの一部分の概略断面図である。
【符号の説明】
【００１７】
１０  髭剃り器
１２  剃刀カートリッジ
１４  髭剃り補助剤ディスペンサ
２４  バルブ
２６  接触パネル
【図１】
2008529655.tif 000003
【図２】
2008529655.tif 000004
【図３】
2008529655.tif 000005
【図４】
2008529655.tif 000006
【図５】
2008529655.tif 000007
【図６】
2008529655.tif 000008
【図７】
2008529655.tif 000009
【図８】
2008529655.tif 000010
【図９】
2008529655.tif 000011
【図９Ａ】
2008529655.tif 000012
【国際調査報告】
2008529655.tif 000013
2008529655.tif 000014
2008529655.tif 000015